(57)【要約】    【課題】      フレーム構成を簡素化することにより、伝送効率を向上させるとともに、セルサーチ処理に要する時間を短縮すること。    【解決手段】  ＰＬＣＨパターン生成部１０５は、周波数軸上で連続する４つのサブキャリアの各々には同一のパイロット信号が配置されるとともに、同一のパイロット信号が配置される連続する４つのサブキャリアの内、隣接する２つのサブキャリアにはグループコードが乗算されていないパイロット信号が配置されるとともに、残りの隣接する２つのサブキャリアにはグループコードが乗算されたパイロット信号が配置されるように配列してパイロットパターンを生成する。拡散部１０４から入力したパイロット信号を所定の配列に並べて所定のパイロットパターンを生成する。フレーム組み立て部１０７は、パイロット信号系列及びＴＣＨ信号を、周波数軸上及び時間軸上の所定の位置に配置する。  【選択図】      図１
2007074518.tif 000002
【特許請求の範囲】
【請求項１】
周波数軸上で所定の数の連続するサブキャリアに同一のパイロット信号を配置するパイロットパターンを生成するパターン生成手段と、
前記パターン生成手段にて生成されたパイロットパターンのパイロット信号が時間軸上の先頭に配置されるようにフレームを組み立てるフレーム組み立て手段と、
前記同一のパイロット信号には同一のスクランブルコードを用いて前記フレーム組み立て手段にて組み立てられたフレームの送信信号をスクランブルするスクランブル手段と、
前記スクランブル手段にてスクランブルされた前記送信信号を周波数分割多重して各パイロット信号を前記サブキャリアに各々割り当ててマルチキャリア信号を生成するマルチキャリア信号生成手段と、
前記マルチキャリア信号生成手段にて生成されたマルチキャリア信号を送信する送信手段と、
を具備するマルチキャリア送信装置。
【請求項２】
前記パターン生成手段は、前記スクランブルコードが属するグループを特定するグループコードを乗算した一対のパイロット信号と前記グループコードが乗算されていない一対のパイロット信号とが前記連続するサブキャリアに配置される前記パイロットパターンを生成する請求項１記載のマルチキャリア送信装置。
【請求項３】
前記パターン生成手段は、１つのコードパターンの位相をシフトして異なるコードパターンを生成するとともに生成した前記コードパターンの前記グループコードを前記パイロット信号に乗算し、
前記スクランブル手段は、１つのコードパターンの位相をシフトして異なるコードパターンを生成するとともに生成した前記コードパターンの前記グループコードを用いて前記パイロット信号及び送信チャネルの信号をスクランブルする請求項２記載のマルチキャリア送信装置。
【請求項４】
周波数軸上で所定の数だけ連続するサブキャリアに同一のパイロット信号を配置するパイロットパターンのパイロット信号が時間軸上の先頭に配置されたフレームを有するマルチキャリア信号を受信する受信手段と、
前記受信手段にて受信した前記マルチキャリア信号の隣接するサブキャリア間の相関をとる第一相関手段と、
前記第一相関手段の最大相関値に基づいてフレームの先頭を検出するフレームタイミング検出手段と、
を具備するマルチキャリア受信装置。
【請求項５】
前記スクランブルコードが属するグループを特定するグループコードを乗算した一対のパイロット信号と前記グループコードが乗算されていない一対のパイロット信号とが前記連続するサブキャリアに配置される前記マルチキャリア信号のサブキャリア間で複素乗算を行う複素乗算手段と、
前記複素乗算手段にて複素乗算した結果と既知の前記グループコードとの相関をとる第二相関手段と、
前記第二相関手段の最大相関値に基づいて前記グループを推定するグループ推定手段と、
前記グループ推定手段にて推定されたグループに属する前記スクランブルコードを同定する同定手段と、
前記同定手段にて同定されたスクランブルコードにてデスクランブルするデスクランブル手段と、
を具備する請求項４記載のマルチキャリア受信装置。
【請求項６】
前記第二相関手段は、隣接するサブキャリア間の前記複素乗算した結果と既知の前記グループコードとの相関をとる請求項５記載のマルチキャリア受信装置。
【請求項７】
前記第二相関手段は、複数のサブキャリア間の複素乗算した結果を平均した平均値と既知の前記グループコードとの相関をとる請求項５記載のマルチキャリア受信装置。
【請求項８】
前記第二相関手段は、サブキャリア間隔が大きいほど重み付けを小さくした前記平均値と既知の前記グループコードとの相関をとる請求項７記載のマルチキャリア受信装置。
【請求項９】
前記第二相関手段は、１つのコードパターンの位相をシフトして異なるコードパターンを生成するとともに生成した前記コードパターンの前記グループコードと前記複素乗算結果との相関をとる請求項５から請求項８のいずれかに記載のマルチキャリア受信装置。
【請求項１０】
周波数軸上で所定の数の連続するサブキャリアに同一のパイロット信号を配置するパイロットパターンを生成するステップと、
生成された前記パイロットパターンのパイロット信号が時間軸上の先頭に配置されるようにフレームを組み立てるステップと、
前記同一のパイロット信号には同一のスクランブルコードを用いて前記フレームを有する送信信号をスクランブルするステップと、
スクランブルされた前記送信信号を周波数分割多重して前記パイロット信号を前記サブキャリアに各々割り当ててマルチキャリア信号を生成するステップと、
送信装置が前記マルチキャリア信号を送信するステップと、
受信装置が前記マルチキャリア信号を受信するステップと、
受信した前記マルチキャリア信号の隣接するサブキャリア間の相関をとるステップと、
前記相関の最大値に基づいてフレームの先頭を検出するステップと、
を具備する同期検出方法。
【発明の詳細な説明】
【技術分野】
【０００１】
本発明は、マルチキャリア送信装置、マルチキャリア受信装置及び同期検出方法に関し、例えばマルチキャリアＣＤＭＡ方式にて３段階セルサーチを行うマルチキャリア送信装置、マルチキャリア受信装置及び同期検出方法に関する。
【背景技術】
【０００２】
近年、無線通信、特に移動体通信では、音声以外に画像やデータなどの様々な情報が伝送の対象になっている。今後は、多様なコンテンツの伝送に対する需要がますます高くなることが予想されるため、高信頼かつ大容量で高速な伝送に対する必要性がさらに高まることが予想される。しかしながら、移動体通信において高速伝送を行う場合、マルチパスによる遅延波の影響が無視できなくなり、周波数選択性フェージングにより伝送特性が劣化する。
【０００３】
そこで、周波数選択性フェージング対策技術の一つとして、ＯＦＤＭ（Orthogonal Frequency Division Multiplexing）方式などのマルチキャリア（ＭＣ）変調方式が注目されている。マルチキャリア変調方式は、周波数選択性フェージングが発生しない程度に伝送速度が抑えられた複数の搬送波（サブキャリア）を用いてデータを伝送することにより、結果的に高速伝送を行う技術である。特に、ＯＦＤＭ方式は、データが配置される複数のサブキャリアが相互に直交しているため、マルチキャリア変調方式の中で最も周波数利用効率が高い方式であり、また、比較的簡単なハードウエア構成で実現できることから、とりわけ注目されている。
【０００４】
また、周波数選択性フェージング対策の別の技術として、ＣＤＭＡ（Code Division Multiple Access）方式などのスペクトル拡散方式がある。特に、ＣＤＭＡ方式は、各ユーザの情報を各ユーザに固有の拡散符号で周波数軸上に直接拡散して拡散利得を得ることによって耐干渉性を高める技術であり、移動体通信において、現在、既に実用化されている。
【０００５】
そして、最近、より高速な伝送を実現するためのアクセス方式として、ＯＦＤＭ方式とＣＤＭＡ方式を組み合わせた方式（ＭＣ（マルチキャリア）−ＣＤＭＡ方式ともＯＦＤＭ−ＣＤＭＡ方式とも呼ばれるが、ここでは「マルチキャリアＣＤＭＡ方式」と呼ぶことにする）が特に注目されている。なお、マルチキャリアＣＤＭＡ方式には、大別して、拡散後のチップが各サブキャリアにおいて時間軸上に配置される時間方向拡散と、拡散後のチップが各時間において周波数軸上に配置される周波数方向拡散とがある。前者の場合、パスダイバーシチ効果は得られるが、周波数ダイバーシチ効果は得られず、逆に、後者の場合、周波数ダイバーシチ効果は得られるが、パスダイバーシチ効果は得られない。
【０００６】
ここで、周波数方向拡散を行うマルチキャリアＣＤＭＡ方式について簡単に説明する。マルチキャリアＣＤＭＡ方式では、信号が複数の搬送波（サブキャリア）に分配して送信される。具体的には、送信信号が拡散符号により周波数方向に拡散され、コード多重される。コード多重された信号は、サブキャリア数分の並列信号にシリアル／パラレル変換される。
【０００７】
また、マルチキャリアＣＤＭＡ方式では、各サブキャリアが直交信号になるようにＯＦＤＭ変調される。すなわち、シリアル／パラレル変換後の並列信号は、逆高速フーリエ変換（以下「ＩＦＦＴ」と記載する）処理を経て送信される。ＩＦＦＴ処理により、ＯＦＤＭ信号は、各サブキャリア間で信号が直交した状態を保つことができる。ここで、信号が直交するとは、あるサブキャリアの信号のスペクトルが他の周波数の信号に影響を与えないことを意味する。ＯＦＤＭ変調を行う際は、ＯＦＤＭシンボルにガードインターバルを挿入する。ガードインターバルの挿入により、ガードインターバル長よりも短い遅延波しか存在しない場合、各サブキャリア間の直交性を保つことが可能になる。
【０００８】
このようなマルチキャリアＣＤＭＡ方式におけるセルサーチ法として、例えば、特許文献１に記載された技術が知られている。以下、特許文献１に記載された３段階セルサーチ方法について説明する。
【０００９】
３段階セルサーチの第１段階では、シンボル境界が検出される。これは、例えば、ガードインターバル区間と有効シンボル区間から生じる相関値のピークを検出することにより行われる。
【００１０】
次に、第２段階では、フレーム境界の検出とスクランブルコードグループの検出が同時に行われる。すなわち、フレーム境界を検出するため、図２１に示すように、フレーム先頭とフレーム末尾に付加されたＰＬＣＨを用いて相関をとる。ここで、フレーム先頭とフレーム末尾の基本パターンは同じものとし、フレーム先頭又はフレーム末尾のＰＬＣＨには、スクランブルコードグループを識別するための位相差を設けて、セル固有の識別コードであるスクランブルコードが乗算されている。
【００１１】
第２段階の具体的な処理としては、隣接シンボル間で相関をとりながら、既知のスクランブルコードグループに対応させて位相シフトを行ったスクランブルコードの相関値を取得する。そして、最大の相関値が得られる位置とスクランブルコードグループとを同時に検出する。
【００１２】
そして、第３段階では、第２段階で検出されたスクランブルコードグループの中からスクランブルコードが検出される。
【特許文献１】特開２００３−２４４７６３号公報
【発明の開示】
【発明が解決しようとする課題】
【００１３】
しかしながら、特許文献１に記載されたセルサーチ方法では、セルサーチ用のパイロットシンボルを１フレーム当たり最低２シンボル必要となり、伝送効率が低下するという問題がある。また、特許文献１に記載されたセルサーチ方法では、第２段階でフレームタイミング検出とスクランブルコードのグループの同定を同時に行っているので、スクランブルコードのグループの同定には、シンボル数とスクランブルコードのグループ数とを乗算した数の演算が必要になり、セルサーチ処理に時間がかかるという問題がある。
【００１４】
本発明はかかる点に鑑みてなされたものであり、フレーム構成を簡素化することにより、伝送効率を向上させることができるとともに、セルサーチ処理に要する時間を短縮することができるマルチキャリア送信装置、マルチキャリア受信装置及び同期検出方法を提供することを目的とする。
【課題を解決するための手段】
【００１５】
本発明のマルチキャリア送信装置は、周波数軸上で所定の数の連続するサブキャリアに同一のパイロット信号を配置するパイロットパターンを生成するパターン生成手段と、前記パターン生成手段にて生成されたパイロットパターンのパイロット信号が時間軸上の先頭に配置されるようにフレームを組み立てるフレーム組み立て手段と、前記同一のパイロット信号には同一のスクランブルコードを用いて前記フレーム組み立て手段にて組み立てられたフレームの送信信号をスクランブルするスクランブル手段と、前記スクランブル手段にてスクランブルされた前記送信信号を周波数分割多重して各パイロット信号を前記サブキャリアに各々割り当ててマルチキャリア信号を生成するマルチキャリア信号生成手段と、前記マルチキャリア信号生成手段にて生成されたマルチキャリア信号を送信する送信手段と、を具備する構成を採る。
【００１６】
本発明のマルチキャリア受信装置は、周波数軸上で所定の数だけ連続するサブキャリアに同一のパイロット信号を配置するパイロットパターンのパイロット信号が時間軸上の先頭に配置されたフレームを有するマルチキャリア信号を受信する受信手段と、前記受信手段にて受信した前記マルチキャリア信号の隣接するサブキャリア間の相関をとる第一相関手段と、前記第一相関手段の最大相関値に基づいてフレームの先頭を検出するフレームタイミング検出手段と、を具備する構成を採る。
【００１７】
本発明の同期検出方法は、周波数軸上で所定の数の連続するサブキャリアに同一のパイロット信号を配置するパイロットパターンを生成するステップと、生成された前記パイロットパターンのパイロット信号が時間軸上の先頭に配置されるようにフレームを組み立てるステップと、前記同一のパイロット信号には同一のスクランブルコードを用いて前記フレームを有する送信信号をスクランブルするステップと、スクランブルされた前記送信信号を周波数分割多重して前記パイロット信号を前記サブキャリアに各々割り当ててマルチキャリア信号を生成するステップと、送信装置が前記マルチキャリア信号を送信するステップと、受信装置が前記マルチキャリア信号を受信するステップと、受信した前記マルチキャリア信号の隣接するサブキャリア間の相関をとるステップと、前記相関の最大値に基づいてフレームの先頭を検出するステップと、を具備するようにした。
【発明の効果】
【００１８】
本発明によれば、フレーム構成を簡素化することにより、伝送効率を向上させることができるとともに、セルサーチ処理に要する時間を短縮することができる。
【発明を実施するための最良の形態】
【００１９】
以下、本発明の実施の形態について、図面を参照して詳細に説明する。
【００２０】
（実施の形態１）
図１は、本発明の実施の形態１に係るマルチキャリア送信装置１００の構成を示すブロック図である。
【００２１】
送信データ発生部１０１は、パイロットチャネル（ＰＬＣＨ）のパイロット信号及び複数の送信チャネルの信号（以下「ＴＣＨ信号」と記載する）を生成して符号化部１０２へ出力する。ＴＣＨ信号には、トラフィックチャネルの信号またはチャネル推定用パイロット等が含まれる。
【００２２】
符号化部１０２は、送信データ発生部１０１から入力したパイロット信号及びＴＣＨ信号を符号化して変調部１０３へ出力する。
【００２３】
変調部１０３は、符号化部１０２から入力したパイロット信号及びＴＣＨ信号を変調して拡散部１０４へ出力する。
【００２４】
拡散部１０４は、変調部１０３から入力したパイロット信号及びＴＣＨ信号に対して、拡散符号を用いて拡散処理してＰＬＣＨパターン生成部１０５へ出力する。
【００２５】
パターン生成手段であるＰＬＣＨパターン生成部１０５は、拡散部１０４から入力したパイロット信号を所定の配列に並べて所定のパイロットパターンを生成する。そして、ＰＬＣＨパターン生成部１０５は、生成したパイロットパターンのパイロット信号系列をＰＬＣＨ多重部１０６へ出力する。また、ＰＬＣＨパターン生成部１０５は、拡散部１０４から入力したＴＣＨ信号をそのままＰＬＣＨ多重部１０６へ出力する。なお、ＰＬＣＨパターン生成部１０５の構成の詳細については後述する。
【００２６】
ＰＬＣＨ多重部１０６は、ＰＬＣＨパターン生成部１０５から入力したパイロット信号系列とＴＣＨ信号とを時間多重してフレーム組み立て部１０７へ出力する。
【００２７】
フレーム組み立て部１０７は、ＰＬＣＨ多重部１０６から入力したパイロット信号系列及びＴＣＨ信号を、周波数軸上及び時間軸上の所定の位置に配置する（フレームの組み立て）。そして、フレーム組み立て部１０７は、組み立てたフレームの信号をスクランブリング部１０８へ出力する。
【００２８】
スクランブリング部１０８は、フレーム組み立て部１０７から入力した信号を、所定のスクランブルコードでスクランブルしてＩＦＦＴ部１０９へ出力する。
【００２９】
マルチキャリア信号生成手段であるＩＦＦＴ部１０９は、スクランブリング部１０８から入力した信号をＩＦＦＴしてＯＦＤＭ信号等のマルチキャリア信号を生成し、生成したマルチキャリア信号をガードインターバル挿入部１１０へ出力する。
【００３０】
ガードインターバル挿入部１１０は、ＩＦＦＴ部１０９から入力したマルチキャリア信号にガードインターバルを挿入してアンテナ１１１へ出力する。具体的には、ガードインターバル挿入部１１０は、シンボル毎に、有効シンボル区間の末尾をコピーして、該当シンボルの先頭にコピーした末尾をガードインターバルとして挿入する。
【００３１】
アンテナ１１１は、ガードインターバル挿入部１１０から入力したマルチキャリア信号を送信する。
【００３２】
次に、マルチキャリア受信装置２００の構成について、図２を用いて説明する。図２は、マルチキャリア受信装置２００の構成を示すブロック図である。
【００３３】
アンテナ２０１は、マルチキャリア信号を受信してＡＤ部２０２へ出力する。
【００３４】
ＡＤ部２０２は、アンテナ２０１から入力したマルチキャリア信号を、アナログ信号からデジタル信号に変換してＧＩ相関部２０３へ出力する。
【００３５】
ＧＩ相関部２０３は、ＡＤ部２０２から入力した受信信号のガードインターバル区間と有効シンボル区間との相関（ＧＩ相関）の特性を利用して高速フーリエ変換（以下「ＦＦＴ」と記載する）タイミングの検出を行い、シンボルタイミング候補を得る。そして、ＧＩ相関部２０３は、ＦＦＴタイミングの検出結果及びシンボルタイミング候補の情報を含む受信信号をガードインターバル除去部２０４へ出力する。
【００３６】
ガードインターバル除去部２０４は、ＧＩ相関部２０３から入力した受信信号からガードインターバルを除去してＦＦＴ部２０５へ出力する。
【００３７】
ＦＦＴ部２０５は、ガードインターバル除去部２０４から入力した受信信号を、ＧＩ相関部２０３で検出したＦＦＴタイミングに基づいてＦＦＴして隣接サブキャリア間相関部２０６へ出力する。
【００３８】
第一相関手段である隣接サブキャリア間相関部２０６は、ＦＦＴ部２０５から入力した受信信号の１シンボル長の隣接サブキャリア間の相関をとって各シンボル位置での相関値を取得し、取得した相関値の情報を含む受信信号をフレームタイミング検出部２０７へ出力する。ここで、隣接サブキャリアとは、周波数軸上で隣り合うサブキャリアのことである。なお、隣接サブキャリア間相関部２０６の構成の詳細については後述する。
【００３９】
フレームタイミング検出部２０７は、隣接サブキャリア間相関部２０６から入力した受信信号に含まれる相関値の情報に基づいてフレームの先頭を検出する。また、フレームタイミング検出部２０７は、検出したフレームの先頭の情報に基づいてパイロット信号系列を抽出する。そして、フレームタイミング検出部２０７は、抽出したパイロット信号系列を他の受信信号とともにグループパターン抽出部２０８へ出力する。
【００４０】
グループパターン抽出部２０８は、フレームタイミング検出部２０７から入力したパイロット信号を用いて、隣接サブキャリア間で複素乗算する。そして、グループパターン抽出部２０８は、複素乗算結果と既知のグループパターンとの相関をとって相関値を取得し、取得した相関値を他の受信信号とともにＳＣグループ推定部２０９へ出力する。なお、グループパターン抽出部２０８の構成の詳細については後述する。
【００４１】
ＳＣグループ推定部２０９は、グループパターン抽出部２０８から入力した相関値に基づいてグループパターンのグループコードのグループを検出する。具体的には、ＳＣグループ推定部２０９は、最も高い相関値が得られたグループパターンのグループコードのグループを検出する。そして、ＳＣグループ推定部２０９は、検出したグループの情報を含む受信信号をＳＣ同定部２１０へ出力する。ここで、グループコードとは、スクランブルコードをグループ化した際のグループを特定するコードである。
【００４２】
ＳＣ同定部２１０は、ＳＣグループ推定部２０９から入力した受信信号に含まれるグループの情報に基づいてスクランブルコードを同定する。そして、ＳＣ同定部２１０は、同定したスクランブルコードの情報を含む受信信号をデスクランブリング部２１１へ出力する。
【００４３】
デスクランブリング部２１１は、ＳＣ同定部２１０から入力した受信信号に含まれるスクランブルコードを用いて、受信信号をデスクランブルしてチャネル推定部２１２へ出力する。
【００４４】
チャネル推定部２１２は、デスクランブリング部２１１から入力した受信信号を用いてチャネル推定を行って逆拡散部２１３へ出力する。
【００４５】
逆拡散部２１３は、チャネル推定部２１２から入力した受信信号に対して、拡散処理の際に用いた拡散符号と同じ拡散符号を用いて逆拡散処理して復調部２１４へ出力する。
【００４６】
復調部２１４は、逆拡散部２１３から入力した受信信号を復調して復号化部２１５へ出力する。
【００４７】
復号化部２１５は、復調部２１４から入力した受信信号を復号して受信データとして出力する。
【００４８】
次に、ＰＬＣＨパターン生成部１０５の構成の詳細について、図３を用いて説明する。図３は、ＰＬＣＨパターン生成部１０５の構成を示すブロック図である。
【００４９】
パイロットパターン複製部３０１は、拡散部１０４から入力したパイロット信号を複製して同一のパイロットパターンのパイロット信号系列を生成する。そして、パイロットパターン複製部３０１は、生成した一方のパイロットパターンのパイロット信号をサブキャリア配置部３０４へ出力し、他方のパイロットパターンのパイロット信号を乗算器３０３へ出力する。
【００５０】
グループパターン記憶部３０２は、既知の複数のグループパターンを記憶しており、パイロットパターン複製部３０１からパイロット信号が出力されるタイミングにて、記憶しているグループパターンのグループコードを乗算器３０３へ出力する。
【００５１】
乗算器３０３は、パイロットパターン複製部３０１から入力したパイロット信号とグループパターン記憶部３０２から入力したグループコードとを乗算してサブキャリア配置部３０４へ出力する。
【００５２】
サブキャリア配置部３０４は、パイロットパターン複製部３０１から入力したパイロット信号と乗算器３０３から入力した乗算結果とを用いて、所定のパイロットパターンを生成する。具体的には、サブキャリア配置部３０４は、周波数軸上で連続する４つのサブキャリアの各々には同一のパイロット信号が配置されるようにパイロット信号を配置する。また、サブキャリア配置部３０４は、同一のパイロット信号が配置される連続する４つのサブキャリアの内、隣接する２つのサブキャリアにはパイロットパターン複製部３０１から入力したパイロット信号が配置されるとともに、残りの隣接する２つのサブキャリアには乗算器３０３から入力したグループコードが乗算されたパイロット信号が配置されるように配列してパイロットパターンを生成する。そして、サブキャリア配置部３０４は、生成した所定のパイロットパターンのパイロット信号系列をＰＬＣＨ多重部１０６へ出力する。
【００５３】
次に、隣接サブキャリア間相関部２０６の構成の詳細について、図４を用いて説明する。図４は、隣接サブキャリア間相関部２０６の構成を示すブロック図である。
【００５４】
１サブキャリア遅延部４０１は、ＦＦＴ部２０５から入力したマルチキャリア信号を１サブキャリア遅延させて相関部４０２へ出力する。
【００５５】
相関部４０２は、ＦＦＴ部２０５から入力したマルチキャリア信号と１サブキャリア遅延部４０１から入力した１サブキャリアだけ遅延したマルチキャリア信号との各シンボル位置での相関値を取得する。これにより、相関部４０２は、隣接するサブキャリア間の相関をとることができる。そして、相関部４０２は、取得した相関値の情報を加算部４０３へ出力する。
【００５６】
加算部４０３は、相関部４０２から入力した相関値を１シンボル毎に加算して、加算結果をフレームタイミング検出部２０７へ出力する。
【００５７】
次に、グループパターン抽出部２０８の構成の詳細について、図５を用いて説明する。図５は、グループパターン抽出部２０８の構成を示すブロック図である。
【００５８】
１サブキャリア遅延部５０１は、フレームタイミング検出部２０７から入力したマルチキャリア信号を１サブキャリア遅延させて複素乗算部５０２へ出力する。
【００５９】
複素乗算部５０２は、フレームタイミング検出部２０７から入力したマルチキャリア信号と１サブキャリア遅延部５０１から入力した１サブキャリアだけ遅延したマルチキャリア信号とを複素乗算する。これにより、複素乗算部５０２は、隣接するサブキャリア間の複素乗算をすることができる。そして、複素乗算部５０２は、複素乗算結果を相関部５０４へ出力する。
【００６０】
グループパターン記憶部５０３は、マルチキャリア送信装置１００のＰＬＣＨパターン生成部１０５のグループパターン記憶部３０２が記憶しているグループパターンと同一のグループパターンを記憶しており、複素乗算部５０２が複素乗算結果を出力するタイミングで、記憶しているグループパターンのグループコードを相関部５０４へ出力する。
【００６１】
第二相関手段である相関部５０４は、複素乗算部５０２から入力した複素乗算結果とグループパターン記憶部５０３から入力したグループコードとの相関をとって相関値を取得する。そして、相関部５０４は、取得した相関値をＳＣグループ推定部２０９へ出力する。
【００６２】
次に、サブキャリア送信装置１００及びサブキャリア受信装置２００の動作について説明する。
【００６３】
サブキャリア送信装置１００は、ＰＬＣＨパターン生成部１０５にて、図６に示すパイロットパターンのパイロット信号を２系列生成する。即ち、各パイロット信号「ａ」、「ｂ」、「ｃ」、「ｄ」、「ｅ」、「ｆ」（ａ、ｂ、ｃ、ｄ、ｅ、ｆは互いに異なるパイロット信号）を各々２つ連続して配列することにより「ａａｂｂｃｃｄｄｅｅｆｆ」のパイロットパターンのパイロット信号系列６００を生成する。なお、各パイロット信号ａ、ｂ、ｃ、ｄ、ｅ、ｆは、各サブキャリアに配置される。
【００６４】
次に、ＰＬＣＨパターン生成部１０５は、図７に示すように、各グループコード「１」、「２」、「３」、「４」、「５」、「６」（１、２、３、４、５、６は互いに異なるグループコード）を各々２つ連続して配列することにより「３３４４５５６６１１２２」のグループパターン７０１と２系列生成したパイロット信号系列６００の一方とを乗算して、「ＡＡＢＢＣＣＤＤＥＥＦＦ」のパイロットパターンのパイロット信号系列７０２を生成する。グループコード７０１は、受信側で複素乗算した際にグループパターンが抽出できるように、同相の場合は同じ位相で、逆相の場合は更に逆相にしてパイロット信号系列６００の各パイロット信号と乗算する。グループパターンは、グループコードの配列を異ならせることにより、異なるグループパターンにすることができる。例えば、「１２３４５６」と「３４５６１２」とは異なるグループパターンになる。なお、グループパターンは、位相をシフトして異なるパターンにしたものでも良く、任意のパターンにしても良い。
【００６５】
次に、ＰＬＣＨパターン生成部１０５は、図８に示すように、パイロット信号系列６００とパイロット信号系列７０２とを合成して順番を入れ替えることにより、「ａａＡＡｂｂＢＢｃｃＣＣｄｄＤＤｅｅＥＥｆｆＦＦ」のパイロット信号系列８００を生成する。このようにして生成したパイロット信号系列８００は、同一のパイロット信号が４つの連続するサブキャリア群に配置される。即ち、パイロット信号ａについては４つの連続するサブキャリア群＃８０１に配置され、パイロット信号ｂについては４つの連続するサブキャリア群＃８０２に配置され、パイロット信号ｃについては４つの連続するサブキャリア群＃８０３に配置され、パイロット信号ｄについては４つの連続するサブキャリア群＃８０４に配置され、パイロット信号ｅについては４つの連続するサブキャリア群＃８０５に配置され、パイロット信号ｆについては４つの連続するサブキャリア群＃８０６に配置されるようなパイロットパターンになる。そして、各サブキャリア群＃８０１、＃８０２、＃８０３、＃８０４、＃８０５、＃８０６には、グループコードが乗算されていないパイロット信号が配置される一対の隣接するサブキャリア＃８０７、＃８０９、＃８１１、＃８１３、＃８１５、＃８１７とグループコードが乗算されているパイロット信号が配置される一対の隣接するサブキャリア＃８０８、＃８１０、＃８１２、＃８１４、＃８１６、＃８１８が配置される。一方、ＴＣＨ信号の信号系列９００は、図９に示すように、全てのサブキャリアに異なる信号「あ」〜「ね」が配置されるパターンになっている。
【００６６】
次に、サブキャリア送信装置１００は、ＰＬＣＨ多重部１０６にて、パイロット信号系列とＴＣＨ信号の信号系列とを時間多重し、フレーム組み立て部１０７にて、パイロット信号系列及びＴＣＨ信号の信号系列を、周波数軸上及び時間軸上の所定の位置に配置する。フレーム組み立て部１０７にて組み立てられたフレームは、図１０に示すようになる。図１０は、フレームの構成を示す図である。なお、図１０において、横軸は時間であり、縦軸は周波数である。
【００６７】
図１０より、１フレームはＰ（Ｐは２以上の任意の自然数）シンボルにて構成されるとともに、各フレームの先頭にパイロット信号系列（ＰＬＣＨ）が１シンボル配置され、続いてＴＣＨ信号の信号系列（ＴＣＨ）が（Ｐ−１）シンボル配置される。
【００６８】
次に、マルチキャリア送信装置１００は、スクランブリング部１０８にて、図１１に示すように、パイロット信号系列８００の各パイロット信号とスクランブルコードパターン１１００の各グループコードとを乗算することによりスクランブルする。スクランブルコードパターン１１００は、各サブキャリア群＃８０１、＃８０２、＃８０３、＃８０４、＃８０５、＃８０６で同一のスクランブルコードになるようにする。即ち、スクランブリング部１０８は、サブキャリア群＃８０１のパイロット信号ａ、ａ、Ａ、Ａに対しては同一のグループコード＃１１０１を乗算し、サブキャリア群＃８０２のパイロット信号ｂ、ｂ、Ｂ、Ｂに対しては同一のグループコード＃１１０２を乗算し、サブキャリア群＃８０３のパイロット信号ｃ、ｃ、Ｃ、Ｃに対しては同一のグループコード＃１１０３を乗算し、サブキャリア群＃８０４のパイロット信号ｄ、ｄ、Ｄ、Ｄに対しては同一のグループコード＃１１０４を乗算し、サブキャリア群＃８０５のパイロット信号ｅ、ｅ、Ｅ、Ｅに対しては同一のグループコード＃１１０５を乗算し、サブキャリア群＃８０６のパイロット信号ｆ、ｆ、Ｆ、Ｆに対しては同一のグループコード＃１１０６を乗算する。
【００６９】
次に、サブキャリア送信装置１００は、ＩＦＦＴ部１０９にて、パイロット信号及びＴＣＨ信号をＩＦＦＴすることにより周波数分割多重し、ガードインターバル挿入部１１０にて、パイロット信号及びＴＣＨ信号にガードインターバルを挿入してマルチキャリア信号を生成して送信する。
【００７０】
次に、サブキャリア受信装置２００は、マルチキャリア信号を受信し、ＧＩ相関部２０３にて、ＦＦＴタイミングの検出及びシンボルタイミング候補を取得し、ガードインターバル除去部２０４にて、ガードインターバルを除去し、ＦＦＴ部２０５にて、ＦＦＴする。
【００７１】
次に、サブキャリア受信装置２００は、隣接サブキャリア間相関部２０６にて、１フレームに渡って各シンボルにて隣接サブキャリア間の相関値を取得し、各シンボルについて取得した相関値をシンボル毎に加算する。パイロット信号は、図８に示すように、隣接サブキャリアには同一のパイロット信号が配置されているので、隣接するサブキャリアの相関値は大きくなる。具体的には、図１２に示すように、隣接サブキャリア間相関部２０６は、サブキャリア＃１２０１のパイロット信号ａとサブキャリア＃１２０２のパイロット信号ａとは同一のパイロット信号なので、大きな相関値を取得することができる。同様に、隣接サブキャリア間相関部２０６は、サブキャリア＃１２０３のパイロット信号Ａとサブキャリア＃１２０４のパイロット信号Ａとは同一のパイロット信号なので、大きな相関値を取得することができる。サブキャリア＃１２０４以降のサブキャリアについても同様である。一方、ＴＣＨ信号は、図９に示すように、隣接するサブキャリアには異なる信号が配置されているので、隣接するサブキャリアの相関値は小さくなる。
【００７２】
次に、マルチキャリア受信装置２００は、フレームタイミング検出部２０７にて、取得した相関値の加算結果が最大であるシンボルをフレームの先頭として検出する。
【００７３】
フレームの先頭を検出する方法について、さらに詳細に説明する。時刻ｔ、ｍ（ｍは１以上の任意の自然数）サブキャリアにおける受信信号Ｒ（ｔ，ｍ）は、（１）式で表せる。
【００７４】
【数１】
2007074518.tif 000003
【００７５】
なお、（１）式において、背景雑音は無視するものとする。
【００７６】
そして、隣接サブキャリア間相関部２０６は、図１３に示すように、受信信号Ｒ（ｔ，ｍ）に対し、（２）式の処理を行う。
【００７７】
【数２】
2007074518.tif 000004
【００７８】
（２）式において、f（ｔ，２ｎ−１）≒ｆ（ｔ，２ｎ）と仮定できるならば、相関結果は（３）式のようになる。
【００７９】
【数３】
2007074518.tif 000005
【００８０】
隣接サブキャリア間のスクランブルコードは同一のパターンＳ（ｔ，２ｎ−１）＝Ｓ（ｔ，２ｎ）であり、隣接サブキャリアのパターンも同一のパターンであるため、隣接サブキャリア間の相関結果Ｉ（ｔ，ｎ）は１になる。全シンボルに渡って上記の処理を行い、相関ピークが表れる位置は隣接サブキャリアにおいて同一のパターンを送信しているパイロット信号だけであるため、フレームタイミングが検出できる。
【００８１】
次に、マルチキャリア受信装置２００は、グループパターン抽出部２０８にて、パイロット信号を抽出して、抽出したパイロット信号の隣接サブキャリア間の複素乗算を行う。具体的には、グループパターン抽出部２０８は、図１３に示すように、各サブキャリア群＃８０１、＃８０２、＃８０３、＃８０４、＃８０５、＃８０６において、グループコードが乗算されているパイロット信号とグループコードが乗算されていないパイロット信号で且つ隣接するサブキャリアに配置されるパイロット信号同士の複素乗算を行う。次に、グループパターン抽出部２０８は、サブキャリア群＃８０１、＃８０２、＃８０３、＃８０４、＃８０５、＃８０６毎のグループコードを抽出してグループパターンを抽出する。即ち、グループパターン抽出部２０８は、サブキャリア群＃８０１よりグループコード「３」を抽出し、サブキャリア群＃８０２よりグループコード「４」を抽出し、サブキャリア群＃８０３よりグループコード「５」を抽出し、サブキャリア群＃８０４よりグループコード「６」を抽出し、サブキャリア群＃８０５よりグループコード「１」を抽出し、サブキャリア群＃８０６よりグループコード「２」を抽出する。次に、グループパターン抽出部２０８は、抽出したグループコードの「３４５６１２」の配列からなるグループパターンを抽出する。
【００８２】
次に、マルチキャリア受信装置２００は、ＳＣグループ推定部２０９にて、抽出したグループコードの「３４５６１２」の配列からなるグループパターンと既知のグループパターンとの相関をとって相関値を取得する。そして、グループパターン抽出部２０８は、相関値が最も大きいグループコードのグループを検出する。図１３の場合、Ｎグループコードとの相関値が最も大きくなるので、ＳＣグループ推定部２１０は、Ｎグループコードのグループを検出する。
【００８３】
次に、マルチキャリア受信装置２００は、ＳＣ同定部２１０にて、検出したグループに属するスクランブルコードを同定する。
【００８４】
次に、マルチキャリア受信装置２００は、デスクランブリング部２１１にて、同定したスクランブルコードを用いて受信信号をデスクランブルする。
【００８５】
スクランブルコードグループの検出方法について、さらに詳細に説明する。グループパターンが抽出できるサブキャリアの組は既知なので、（４）式を用いてコードパターンを抽出する。
【００８６】
【数４】
2007074518.tif 000006
【００８７】
ここで、Ｓ（ｔ，４ｎ−２）＝Ｓ（ｔ，４ｎ−１）であるので、図１３の処理の結果、（５）式のようになる。
【００８８】
【数５】
2007074518.tif 000007
【００８９】
ここで、Ｃ（ｔ，４ｎ−１）＝ｃ（ｔ，４ｎ−２）＊Ｐ（ｔ，ｎ）となり、ｇ（ｔ，ｎ）＝Ｐ（ｔ，ｎ）となる。ただし、Ｐ（ｔ，ｎ）はグループパターンである。グループパターン抽出部２０８は、それぞれのサブキャリアで上記の処理を行い、グループパターンを抽出する。そして、ＳＣグループ推定部２０９は、抽出されたグループパターンと、各グループパターンとの相関を求め、最も相関が大きいグループを検出する。
【００９０】
このように、本実施の形態１によれば、隣接するサブキャリアに同一のパイロット信号が配置されるパイロットパターンにして隣接するサブキャリア間の相関値に基づいてフレームの先頭を検出することにより、各フレームのパイロット信号を１シンボルにしてフレーム構成を簡素化することができるので、伝送効率を向上させることができる。また、本実施の形態１によれば、フレームの先頭を検出してパイロット信号を抽出した後に抽出したパイロット信号を用いてスクランブルコードグループの同定を行うことにより、スクランブルコードグループの同定の際の演算はパイロット信号の１シンボルで済むので、セルサーチ処理に要する時間を短縮することができる。
【００９１】
（実施の形態２）
図１４は、本発明の実施の形態２に係るグループパターン抽出部２０８の構成を示すブロック図である。
【００９２】
本実施の形態２に係るグループパターン抽出部２０８は、図５に示す実施の形態１に係るグループパターン抽出部２０８において、図１４に示すように、１サブキャリア遅延部５０１を除き、サブキャリア遅延部１４０１−１〜１４０１−ｎ（ｎは２以上の任意の自然数）及びサブキャリア間平均部１４０３を追加し、複素乗算部５０２の代わりに複素乗算部１４０２−１〜１４０２−ｎを有する。なお、図１４においては、図５と同一構成である部分には同一の符号を付してその説明は省略する。また、マルチキャリア送信装置の構成は図１と同一であり、マルチキャリア受信装置の構成は図２と同一であるので、その説明は省略する。
【００９３】
サブキャリア遅延部１４０１−１〜１４０１−ｎは、フレームタイミング検出部２０７から入力した各々のマルチキャリア信号を１〜ｎサブキャリアまで順次遅延させて複素乗算部１４０２−１〜１４０２−ｎへ出力する。
【００９４】
複素乗算部１４０２−１〜１４０２−ｎは、フレームタイミング検出部２０７から入力したマルチキャリア信号と各サブキャリア遅延部１４０１−１〜１４０１−ｎから入力した１〜ｎサブキャリア遅延したマルチキャリア信号とを複素乗算する。これにより、複素乗算部１４０２−１〜１４０２−ｎは、複数のサブキャリア間の複素乗算をすることができる。そして、複素乗算部１４０２−１〜１４０２−ｎは、複素乗算結果をサブキャリア間平均部１４０３へ出力する。
【００９５】
サブキャリア間平均部１４０３は、各複素乗算部１４０２−１〜１４０２−ｎから入力した複素乗算結果の平均を求めて、求めた平均値を相関部５０４へ出力する。
【００９６】
相関部５０４は、サブキャリア間平均部１４０３から入力した複素乗算結果の平均値とグループパターン記憶部５０３から入力したグループコードとの相関をとって相関値を取得する。そして、相関部５０４は、取得した相関値をＳＣグループ推定部２０９へ出力する。
【００９７】
次に、マルチキャリア送信装置及びマルチキャリア受信装置の動作について説明する。なお、本実施の形態２においては、グループパターン抽出部２０８における動作のみが上記実施の形態１と異なるので、グループパターン抽出部２０８の動作以外の動作の説明は省略する。
【００９８】
マルチキャリア受信装置２００は、グループパターン抽出部２０８にて、パイロット信号を抽出して、抽出したパイロット信号の複数のサブキャリア間の複素乗算を行う。具体的には、グループパターン抽出部２０８は、図１５に示すように、各サブキャリア群＃８０１、＃８０２、＃８０３、＃８０４、＃８０５、＃８０６において、グループコードが乗算されていないパイロット信号＃１５０１とグループコードが乗算されているパイロット信号＃１５０３とを複素乗算する。また、グループパターン抽出部２０８は、グループコードが乗算されていないパイロット信号＃１５０１とグループコードが乗算されているパイロット信号＃１５０４とを複素乗算する。また、グループパターン抽出部２０８は、グループコードが乗算されていないパイロット信号＃１５０２とグループコードが乗算されているパイロット信号＃１５０３とを複素乗算する。また、グループパターン抽出部２０８は、グループコードが乗算されていないパイロット信号＃１５０２とグループコードが乗算されているパイロット信号＃１５０４とを複素乗算する。そして、グループパターン抽出部２０８は、全ての乗算結果を平均した平均値よりグループコード「３」を抽出する。その他の各サブキャリア群＃８０２、＃８０３、＃８０４、＃８０５、＃８０６についてもサブキャリア群＃８０１と同様にして各グループコード「４」、「５」、「６」、「１」、「２」を抽出する。次に、グループパターン抽出部２０８は、抽出したグループコードの「３４５６１２」の配列からなるグループパターンを抽出する。
【００９９】
次に、マルチキャリア受信装置２００は、ＳＣグループ推定部２０９にて、抽出したグループコードの「３４５６１２」の配列からなるグループパターンと既知のグループパターンとの相関をとって相関値を取得する。そして、グループパターン抽出部２０８は、相関値が最も大きいグループコードのグループを検出する。図１５の場合、Ｎグループコードとの相関値が最も大きくなるので、ＳＣグループ推定部２１０は、Ｎグループコードのグループを検出する。
【０１００】
このように、本実施の形態２によれば、上記実施の形態１の効果に加えて、複数のサブキャリア間の複素乗算結果の平均値を用いてグループコードのグループを検出するので、グループコードのグループの検出精度を高くすることができる。
【０１０１】
（実施の形態３）
図１６は、本発明の実施の形態３に係るグループパターン抽出部２０８の構成を示すブロック図である。
【０１０２】
本実施の形態３に係るグループパターン抽出部２０８は、図５に示す実施の形態１に係るグループパターン抽出部２０８において、図１６に示すように、１サブキャリア遅延部５０１を除き、重み付け部１６０１、サブキャリア遅延部１６０２−１〜１６０２−ｎ及びサブキャリア間平均部１６０４を追加し、複素乗算部５０２の代わりに複素乗算部１６０３−１〜１６０３−ｎを有する。なお、図１６においては、図５と同一構成である部分には同一の符号を付してその説明は省略する。また、マルチキャリア送信装置の構成は図１と同一であり、マルチキャリア受信装置の構成は図２と同一であるので、その説明は省略する。
【０１０３】
重み付け部１６０１は、周波数軸上におけるサブキャリア間の距離が遠いほど重み付けが小さくなるような係数を複素乗算部１６０３−１〜１６０３−ｎへ出力する。即ち、重み付け部１６０１は、複素乗算部１６０３−１へ最も大きな値の係数を出力し、複素乗算部１６０３−ｎへ最も小さな値の係数を出力する。
【０１０４】
サブキャリア遅延部１６０２−１〜１６０２−ｎは、フレームタイミング検出部２０７から入力したマルチキャリア信号を順次１サブキャリアずつ遅延させて複素乗算部１６０３−１〜１６０３−ｎへ出力する。
【０１０５】
複素乗算部１６０３−１〜１６０３−ｎは、フレームタイミング検出部２０７から入力したマルチキャリア信号と各サブキャリア遅延部１６０２−１〜１６０２−ｎから入力した１サブキャリアずつ遅延したマルチキャリア信号とを複素乗算するとともに、複素乗算結果に対して重み付け部１６０１から入力した係数を乗算する。これにより、複素乗算部１６０３−１〜１６０３−ｎは、複数のサブキャリア間の複素乗算結果に対して重み付けすることができる。そして、複素乗算部１６０３−１〜１６０３−ｎは、重み付けした複素乗算結果をサブキャリア間平均部１６０４へ出力する。
【０１０６】
サブキャリア間平均部１６０４は、各複素乗算部１６０３−１〜１６０３−ｎから入力した重み付けした複素乗算結果の平均を求めて、求めた平均値を相関部５０４へ出力する。
【０１０７】
相関部５０４は、サブキャリア間平均部１６０４から入力した重み付けした複素乗算結果の平均値とグループパターン記憶部５０３から入力したグループコードとの相関をとって相関値を取得する。そして、相関部５０４は、取得した相関値をＳＣグループ推定部２０９へ出力する。なお、マルチキャリア送信装置及びマルチキャリア受信装置の動作は、複素乗算結果に重み付けする以外は上記実施の形態２と同一であるので、その説明は省略する。
【０１０８】
このように、本実施の形態３によれば、上記実施の形態１の効果に加えて、重み付けした複数のサブキャリア間の複素乗算結果の平均値を用いてグループコードのグループを検出するので、上記実施の形態２よりもグループコードのグループの検出精度を高くすることができる。
【０１０９】
（実施の形態４）
図１７は、本発明の実施の形態４に係るＰＬＣＨパターン生成部１０５の構成を示すブロック図である。
【０１１０】
本実施の形態４に係るＰＬＣＨパターン生成部１０５は、図３に示す実施の形態１に係るＰＬＣＨパターン生成部１０５において、図１７に示すように、位相シフト部１７０２を追加し、グループパターン記憶部３０２の代わりにグループパターン記憶部１７０１を有する。なお、図１７においては、図３と同一構成である部分には同一の符号を付してその説明は省略する。また、マルチキャリア送信装置の構成は図１と同一であり、マルチキャリア受信装置の構成は図２と同一であるので、その説明は省略する。
【０１１１】
パイロットパターン複製部３０１は、拡散部１０４から入力したパイロット信号を複製して同一のパイロットパターンのパイロット信号系列を生成する。そして、パイロットパターン複製部３０１は、生成した一方のパイロットパターンのパイロット信号をサブキャリア配置部３０４へ出力し、他方のパイロットパターンのパイロット信号を乗算器３０３へ出力する。
【０１１２】
グループパターン記憶部１７０１は、１つのグループパターンを記憶しており、パイロットパターン複製部３０１からパイロット信号が出力されるタイミングにて、記憶しているグループパターンのグループコードを位相シフト部１７０２へ出力する。
【０１１３】
位相シフト部１７０２は、グループパターン記憶部１７０１から入力したグループパターンの各グループコードの位相を、所定のタイミングにて順次シフトして乗算器３０３へ出力する。位相シフト部１７０２にてグループパターンの各グループコードの位相をシフトすることにより、シフトする毎に異なるグループパターンにすることができる。
【０１１４】
乗算器３０３は、パイロットパターン複製部３０１から入力したパイロット信号と位相シフト部１７０２から入力したグループコードとを乗算してサブキャリア配置部３０４へ出力する。
【０１１５】
次に、グループパターン抽出部２０８の構成の詳細について、図１８を用いて説明する。図１８は、グループパターン抽出部２０８の構成を示すブロック図である。本実施の形態２に係るグループパターン抽出部２０８は、図５に示す実施の形態１に係るグループパターン抽出部２０８において、図１８に示すように、位相シフト部１８０２を追加し、グループパターン記憶部５０３の代わりにグループパターン記憶部１８０１を有する。なお、図１８においては、図５と同一構成である部分には同一の符号を付してその説明は省略する。
【０１１６】
グループパターン記憶部１８０１は、マルチキャリア送信装置１００のＰＬＣＨパターン生成部１０５のグループパターン記憶部１７０１が記憶しているグループパターンと同一のグループパターンを１つ記憶しており、複素乗算部５０２が複素乗算結果を出力するタイミングで、記憶しているグループパターンのグループコードを位置シフト部１８０２へ出力する。
【０１１７】
位相シフト部１８０２は、グループパターン記憶部１８０１から入力したグループパターンの各グループコードの位相を、所定のタイミングにて順次シフトして相関部５０４へ出力する。位相シフト部１８０２にてグループパターンの各グループコードの位相をシフトすることにより、シフトする毎に異なるグループパターンにすることができる。
【０１１８】
相関部５０４は、複素乗算部５０２から入力した複素乗算結果と位相シフト部１８０２から入力したグループコードとの相関をとって相関値を取得する。そして、相関部５０４は、取得した相関値をＳＣグループ推定部２０９へ出力する。
【０１１９】
次に、マルチキャリア送信装置及びマルチキャリア受信装置の動作について説明する。なお、本実施の形態４においては、グループパターン抽出部２０８における動作のみが上記実施の形態１と異なるので、グループパターン抽出部２０８の動作以外の動作の説明は省略する。
【０１２０】
マルチキャリア受信装置２００は、グループパターン抽出部２０８にて、１つの基本パターンを記憶しており、基本パターン１９０１の各グループコードの位相をシフトすることにより、異なるグループパターンを生成することができる。例えば、図１９より、グループパターン抽出部２０８は、基本パターン１９０１として「１２３４５６」のグループパターンを記憶している。そして、グループパターン抽出部２０８は、基本パターン１９０１の位相をシフトしていくことにより「３４５６１２」のグループパターンを生成することができ、さらに位相をシフトしていくことにより「４５６１２３」のグループパターンを生成することができる。この際に、グループパターン抽出部２０８は、最も相関値が大きい時のシフト数を検出することにより、シフト数に対応するグループを検出することができる。図１９の場合には、シフト数がＮの時に相関値が最大になるので、Ｎグループであることが検出できる。
【０１２１】
このように、本実施の形態４によれば、上記実施の形態１の効果に加えて、記憶するグループパターンは１つで良いので、グループパターンを記憶するための記憶容量を小さくすることができる。
【０１２２】
（実施の形態５）
図２０は、本発明の実施の形態５に係るグループパターン抽出部２０８の構成を示すブロック図である。
【０１２３】
本実施の形態５に係るグループパターン抽出部２０８は、図５に示す実施の形態１に係るグループパターン抽出部２０８において、図２０に示すように、１サブキャリア遅延部５０１を除き、サブキャリア遅延部２００１−１〜２００１−ｎ、サブキャリア間平均部２００３及び位相シフト部２００５を追加し、グループパターン記憶部５０３の代わりにグループパターン記憶部２００４を有し、複素乗算部５０２の代わりに複素乗算部２００２−１〜２００２−ｎを有する。なお、図２０においては、図５と同一構成である部分には同一の符号を付してその説明は省略する。また、マルチキャリア送信装置の構成は図１と同一であり、マルチキャリア受信装置の構成は図２と同一であるので、その説明は省略する。
【０１２４】
サブキャリア遅延部２００１−１〜２００１−ｎは、フレームタイミング検出部２０７から入力した各々のマルチキャリア信号を１〜ｎサブキャリアまで順次遅延させて複素乗算部２００２−１〜２００２−ｎへ出力する。
【０１２５】
複素乗算部２００２−１〜２００２−ｎは、フレームタイミング検出部２０７から入力したマルチキャリア信号と各サブキャリア遅延部２００１−１〜２００１−ｎから入力した１〜ｎサブキャリア遅延したマルチキャリア信号とを複素乗算する。これにより、複素乗算部２００２−１〜２００２−ｎは、複数のサブキャリア間の複素乗算をすることができる。そして、複素乗算部２００２−１〜２００２−ｎは、複素乗算結果をサブキャリア間平均部２００３へ出力する。
【０１２６】
サブキャリア間平均部２００３は、各複素乗算部２００２−１〜２００２−ｎから入力した複素乗算結果の平均を求めて、求めた平均値を相関部５０４へ出力する。
【０１２７】
グループパターン記憶部２００４は、１つのグループパターンを記憶しており、サブキャリア間平均部２００３から複素乗算結果の平均値が出力されるタイミングにて、記憶しているグループパターンのグループコードを位相シフト部２００５へ出力する。
【０１２８】
位相シフト部２００５は、グループパターン記憶部２００４から入力したグループパターンの各グループコードの位相を、所定のタイミングにて順次シフトして相関部５０４へ出力する。位相シフト部２００５にてグループパターンの各グループコードの位相をシフトすることにより、シフトする毎に異なるグループパターンにすることができる。
【０１２９】
相関部５０４は、サブキャリア間平均部２００３から入力した複素乗算結果の平均値と位相シフト部２００５から入力したグループコードとの相関をとって相関値を取得する。そして、相関部５０４は、取得した相関値をＳＣグループ推定部２０９へ出力する。なお、マルチキャリア送信装置及びマルチキャリア受信装置の動作は、上記実施の形態２及び実施の形態４と同一であるので、その説明は省略する。
【０１３０】
このように、本実施の形態５によれば、上記実施の形態１の効果に加えて、複数のサブキャリア間の複素乗算結果の平均値を用いてグループコードのグループを検出するので、グループコードのグループの検出精度を高くすることができる。また、本実施の形態５によれば、記憶するグループパターンは１つで良いので、グループパターンを記憶するための記憶容量を小さくすることができる。
【０１３１】
なお、本実施の形態５を上記実施の形態３に適用することができる。
【産業上の利用可能性】
【０１３２】
本発明にかかるマルチキャリア送信装置、マルチキャリア受信装置及び同期検出方法は、例えばマルチキャリアＣＤＭＡ方式にて３段階セルサーチを行うのに好適である。
【図面の簡単な説明】
【０１３３】
【図１】本発明の実施の形態１に係るマルチキャリア送信装置の構成を示すブロック図
【図２】本発明の実施の形態１に係るマルチキャリア受信装置の構成を示すブロック図
【図３】本発明の実施の形態１に係るＰＬＣＨパターン生成部の構成を示すブロック図
【図４】本発明の実施の形態１に係る隣接サブキャリア間相関部の構成を示すブロック図
【図５】本発明の実施の形態１に係るグループパターン抽出部の構成を示すブロック図
【図６】本発明の実施の形態１に係るパイロット信号系列を示す図
【図７】本発明の実施の形態１に係るグループコードを乗算したパイロット信号系列を示す図
【図８】本発明の実施の形態１に係るパイロット信号系列を示す図
【図９】本発明の実施の形態１に係るＴＣＨ信号系列を示す図
【図１０】本発明の実施の形態１に係るフレームの構成を示す図
【図１１】本発明の実施の形態１に係るパイロット信号系列とスクランブルコードとを乗算する状態を示す図
【図１２】本発明の実施の形態１に係るフレームの先頭を検出する方法を示す図
【図１３】本発明の実施の形態１に係るグループコードを検出する方法を示す図
【図１４】本発明の実施の形態２に係るグループパターン抽出部の構成を示すブロック図
【図１５】本発明の実施の形態２に係るグループコードを検出する方法を示す図
【図１６】本発明の実施の形態３に係るグループパターン抽出部の構成を示すブロック図
【図１７】本発明の実施の形態４に係るＰＬＣＨパターン生成部の構成を示すブロック図
【図１８】本発明の実施の形態４に係るグループパターン抽出部の構成を示すブロック図
【図１９】本発明の実施の形態４に係るグループコードを検出する方法を示す図
【図２０】本発明の実施の形態５に係るグループパターン抽出部の構成を示すブロック図
【図２１】従来のセルサーチ方法を示す図
【符号の説明】
【０１３４】
１００  マルチキャリア送信装置
１０１  送信データ発生部
１０２  符号化部
１０３  変調部
１０４  拡散部
１０５  ＰＬＣＨパターン生成部
１０６  ＰＬＣＨ多重部
１０７  フレーム組み立て部
１０８  スクランブリング部
１０９  ＩＦＦＴ部
１１０  ガードインターバル挿入部
【図１】
2007074518.tif 000008
【図２】
2007074518.tif 000009
【図３】
2007074518.tif 000010
【図４】
2007074518.tif 000011
【図５】
2007074518.tif 000012
【図６】
2007074518.tif 000013
【図７】
2007074518.tif 000014
【図８】
2007074518.tif 000015
【図９】
2007074518.tif 000016
【図１０】
2007074518.tif 000017
【図１１】
2007074518.tif 000018
【図１２】
2007074518.tif 000019
【図１３】
2007074518.tif 000020
【図１４】
2007074518.tif 000021
【図１５】
2007074518.tif 000022
【図１６】
2007074518.tif 000023
【図１７】
2007074518.tif 000024
【図１８】
2007074518.tif 000025
【図１９】
2007074518.tif 000026
【図２０】
2007074518.tif 000027
【図２１】
2007074518.tif 000028